(57)【要約】    【課題】  紙種によらず、紙詰まりや紙しわを発生させることなく、原稿搬送を行うことができる画像入力装置を提供する。    【解決手段】  原稿給送ユニット１０の原稿トレイ１５４上に、ＲＦＩＤリーダとして複数のアンテナアレイ部６２０、６２１、６２２が設けられている。ＲＦＩＤ付きの原稿が載置されると、その情報をアンテナアレイ部によって読み取り、その情報に従って、操作部７の画面に制御内容を表示したり、原稿搬送制御や画像読取制御等の設定内容を変更する。【選択図】      図１６
2006100994.tif 000002
【特許請求の範囲】
【請求項１】
原稿を読取位置に搬送し、前記原稿を走査しながら画像を読み取る画像入力装置であって、
前記原稿に付加された情報記憶媒体から原稿種別情報を読み取る原稿種別情報読取手段と、
前記読み取られた原稿種別情報を基に、前記原稿の搬送を制御する搬送制御手段とを備えたことを特徴とする画像入力装置。
【請求項２】
前記情報記憶媒体から読み取られる原稿種別情報は、紙種であることを特徴とする請求項１記載の画像入力装置。
【請求項３】
前記搬送制御手段は、前記紙種に応じて、前記原稿の搬送速度を変更することを特徴とする請求項２記載の画像入力装置。
【請求項４】
前記搬送制御手段は、前記紙種が普通紙に比べて薄い薄紙である場合、前記原稿の搬送速度を前記普通紙に比べて低く設定することを特徴とする請求項３記載の画像入力装置。
【請求項５】
前記原稿の一方の面を前記読取位置に搬送した後、反転させて他方の面を前記読取位置に搬送する両面搬送機能を有し、
前記紙種から両面搬送可能であるか否かを判別する両面搬送判別手段を備え、
前記搬送制御手段は、両面搬送可能である場合、前記両面搬送を行うように制御し、一方、両面搬送可能でない場合、前記両面搬送を行わないように制御することを特徴とする請求項２記載の画像入力装置。
【請求項６】
前記原稿種別情報読取手段は、前記原稿が載置される積載手段の、前記原稿と対向する面を読取領域とするように設けられた第１の読取手段と、前記積載手段から分離された１枚の原稿に付加された前記原稿種別情報を読み取るように前記積載手段の下流に設けられた第２の読取手段とからなることを特徴とする請求項１記載の画像入力装置。
【請求項７】
原稿を走査しながら画像を読み取る画像入力装置であって、
前記原稿に付加された情報記憶媒体から原稿種別情報を読み取る原稿種別情報読取手段と、
前記原稿種別情報に含まれる原稿の幅および高さを基に、前記原稿の画像を読み取る画像読取手段とを備えたことを特徴とする画像入力装置。
【請求項８】
前記原稿種別情報は、前記原稿の幅、高さおよびサイズコードを含み、前記原稿の幅および高さと前記サイズコードとの関係が一致せず、かつ前記原稿給送手段に設けられた原稿サイズ検知手段によって検知される原稿の幅と前記原稿種別情報に含まれる原稿の幅とが一致する場合、前記画像読取手段は、前記原稿種別情報に含まれる原稿の幅および高さを基に、前記原稿の画像を読み取ることを特徴とする請求項７記載の画像入力装置。
【請求項９】
前記画像の幅および高さと前記サイズコードとの関係が一致している場合、前記画像読取手段は、前記原稿種別情報に含まれるサイズコードを基に、前記原稿の画像を読み取ることを特徴とする請求項８記載の画像入力装置。
【請求項１０】
前記読み取られた原稿種別情報を画面に表示する表示手段を備えたことを特徴とする請求項１記載の画像入力装置。
【請求項１１】
前記紙種に応じて前記原稿の搬送速度を変更する旨を画面に表示する表示手段を備えたことを特徴とする請求項３記載の画像入力装置。
【請求項１２】
前記紙種から両面搬送可能でない場合、前記原稿給送手段による両面搬送を行わない旨を画面に表示する表示手段を備えたことを特徴とする請求項５記載の画像入力装置。
【請求項１３】
前記搬送制御手段は、前記表示手段によって前記両面搬送を行わない旨が画面に表示された場合、その旨が確認される操作が行われた後、前記両面搬送を行わないように制御することを特徴とする請求項１２記載の画像入力装置。
【請求項１４】
前記読み取られた原稿種別情報が画像読取を行えない紙種である場合、前記原稿が画像読取を行えない紙種である旨を画面に表示する表示手段を備え、画像の読取動作を中止することを特徴とする請求項２記載の画像入力装置。
【請求項１５】
原稿を読取位置に搬送し、前記原稿を走査しながら画像を読み取る画像入力方法であって、
前記原稿に付加された情報記憶媒体から原稿種別情報を読み取る原稿種別情報読取ステップと、
前記読み取られた原稿種別情報を基に、前記原稿の搬送を制御する搬送制御ステップとを有することを特徴とする画像入力方法。
【請求項１６】
原稿を走査しながら画像を読み取る画像入力方法であって、
前記原稿に付加された情報記憶媒体から原稿種別情報を読み取る原稿種別情報読取ステップと、
前記原稿種別情報に含まれる原稿の幅および高さを基に、前記原稿の画像を読み取る画像読取ステップとを有することを特徴とする画像入力方法。
【発明の詳細な説明】
【技術分野】
【０００１】
本発明は、原稿を走査しながら画像を読み取る画像入力装置および画像入力方法に関する。
【背景技術】
【０００２】
従来、原稿給送装置を備え、流し読み機能（原稿を移動させながらその画像を読み取る機能）を有する画像入力装置として、安価で生産性の高いものが既に登場している。この流し読みを行う場合、流し読み開始前に原稿サイズを検知し、検知された原稿サイズを基に読み取りサイズを決定していた。
【０００３】
また近年、紙に付加的な情報を与えることができるようになっている。この付加的な情報を与える手段として、ＩＣチップが用いられている（例えば、特許文献１参照）。このＩＣチップは、フレキシブルコンデンサ、フレキシブルＬＳＩなどからなり、０．２５〜０．７６ｍｍ厚の紙に埋め込まれる。そして、ＲＦＩＤ（Ｒａｄｉｏ  Ｆｒｅｑｕｅｎｃｙ  Ｉｄｅｎｔｉｆｉｃａｔｉｏｎ）付きスキャナは、紙に埋め込まれたＩＣチップの情報を読み取り、複写禁止やデータ送信禁止等を行うようにしている（例えば、特許文献２参照）。
【特許文献１】特開２００１−０２４８４５号公報
【特許文献２】特開２００２−１９０９１１号公報
【発明の開示】
【発明が解決しようとする課題】
【０００４】
しかしながら、上記画像入力装置では、以下に掲げる問題があった。すなわち、原稿給送装置は、搬送する紙種（坪量）として、普通紙（８０ｇ／ｍ２）を基準としている。原稿給送装置に厚紙（１６０ｇ／ｍ２）や”こし”の強い紙を搬送させようとする場合、片面搬送では紙詰まりしないが、両面搬送では紙詰まりを起こしてしまうことがあった。さらに、厚い厚紙（２５０ｇ／ｍ２）を搬送させようとすると、紙詰まりが発生してしまうおそれがあった。また、薄紙（５０ｇ／ｍ２）を搬送する場合、紙しわをつけてしまうおそれがあった。
【０００５】
また、原稿給送装置では、検知できる原稿サイズは限定されている。ところが、市販されているサイズは、定型サイズで定義されているＡ４サイズ等のサイズ以外に種々あり、これらを原稿サイズ検知手段で検知しようとすると、誤検知してしまい、画像欠けや画像ずれの他、流し読みによりゴミ画像（流し読み筋）を発生させてしまうおそれがあった。
【０００６】
そこで、本発明は、紙種によらず、紙詰まりや紙しわを発生させることなく、原稿搬送を行うことができる画像入力装置および画像入力方法を提供することを目的とする。また、本発明は、原稿サイズによらず、正確に画像を読み取ることができる画像入力装置および画像入力方法を提供することを他の目的とする。
【課題を解決するための手段】
【０００７】
上記目的を達成するために、本発明の画像入力装置は、原稿を読取位置に搬送し、前記原稿を走査しながら画像を読み取る画像入力装置であって、前記原稿に付加された情報記憶媒体から原稿種別情報を読み取る原稿種別情報読取手段と、前記読み取られた原稿種別情報を基に、前記原稿の搬送を制御する搬送制御手段とを備えたことを特徴とする。
【０００８】
本発明の画像入力装置は、原稿を走査しながら画像を読み取る画像入力装置であって、前記原稿に付加された情報記憶媒体から原稿種別情報を読み取る原稿種別情報読取手段と、前記原稿種別情報に含まれる原稿の幅および高さを基に、前記原稿の画像を読み取る画像読取手段とを備えたことを特徴とする。
【０００９】
本発明の画像入力方法は、原稿を読取位置に搬送し、前記原稿を走査しながら画像を読み取る画像入力方法であって、前記原稿に付加された情報記憶媒体から原稿種別情報を読み取る原稿種別情報読取ステップと、前記読み取られた原稿種別情報を基に、前記原稿の搬送を制御する搬送制御ステップとを有することを特徴とする。
【００１０】
本発明の画像入力方法は、原稿を走査しながら画像を読み取る画像入力方法であって、前記原稿に付加された情報記憶媒体から原稿種別情報を読み取る原稿種別情報読取ステップと、前記原稿種別情報に含まれる原稿の幅および高さを基に、前記原稿の画像を読み取る画像読取ステップとを有することを特徴とする。
【発明の効果】
【００１１】
本発明の請求項１に係る画像入力装置によれば、原稿に付加された情報記憶媒体から原稿種別情報を読み取り、読み取られた原稿種別情報を基に、原稿の搬送を制御するので、原稿に応じた最適な搬送制御を行うことができる。請求項２乃至５に係る画像入力装置によれば、紙種によらず、紙詰まりや紙しわを発生させることなく、原稿搬送を行うことができる。また、両面原稿の紙詰まりを抑制することができる。さらに、原稿にしわをつけることもなくなる。請求項７乃至９に係る画像入力装置によれば、原稿サイズによらず、正確に画像を読み取ることができる。したがって、原稿サイズ検知センサが誤検知してしまうような特殊紙サイズであっても、正しい読み取り動作を行うことができる。請求項１０乃至１４に係る画像入力装置によれば、画面に表示することで、オペレータに通知したり、オペレータの確認を得ることができる。
【発明を実施するための最良の形態】
【００１２】
本発明の画像入力装置および画像入力方法の実施の形態について図面を参照しながら説明する。本実施形態の画像入力装置は画像形成装置に適用される。
【００１３】
（画像形成装置の構成）
図１は実施の形態における画像形成装置の全体的構成を示す図である。画像形成装置１は、イーサネット（登録商標）等のＬＡＮ（Ｌｏｃａｌ  Ａｒｅａ  Ｎｅｔｗｏｒｋ）４００を介して第１のホストコンピュータ３および第２のホストコンピュータ４に接続されている。すなわち、画像形成装置１は、リーダ部２、プリンタ部６、コントローラ部５および操作部７から構成される。リーダ部２は画像データの読取処理を行う。プリンタ部６は画像データの出力処理を行う。操作部７は、画像データの入出力操作を行うキーボード、および画像データや各種機能の表示などを行う液晶パネルを備える。コントローラ部５は、全体動作を制御する単一の電子部品からなるものであり、コントローラ部５には、制御プログラムや画像データ等が予め書き込まれたＣＤ−ＲＯＭドライブ８が装着されている。
【００１４】
リーダ部２は、原稿用紙を搬送する原稿給紙ユニット１０、および原稿画像を光学的に読み取り、電気信号としての画像データに変換するスキャナ部１１を有する。プリンタ部６は、記録用紙を収容する複数段の給紙カセットを備えた給紙ユニット１２、画像データを記録用紙に転写・定着するマーキングユニット１３、および印字された記録用紙に対してソート処理やステイプル処理を施し、外部に排出する排紙ユニット１４を有する。
【００１５】
図２は画像形成装置１におけるリーダ部２およびプリンタ部６の内部構造を示す図である。リーダ部２はプリンタ部６に載置されている。リーダ部２では、原稿給送ユニット１０に積層された原稿用紙は、その積層順に先頭から順次１枚ずつプラテンガラス１５上に給送される。そして、スキャナユニット１１で所定の読取動作が行われると、読み取られた原稿用紙は、プラテンガラス１５上から再び原稿給送ユニット１０に排出される。
【００１６】
スキャナユニット１１は、原稿用紙がプラテンガラス１５上に給送されると、ランプ１６を点灯して、光学ユニット１７の移動を開始し、原稿用紙を下方から照射して、原稿を走査する。原稿用紙からの反射光は、複数のミラー１８、１９、２０およびレンズ２１を介してＣＣＤイメージセンサ（以下、単にＣＣＤという）２２に導かれ、走査された原稿画像はＣＣＤ２２によって読み取られる。そして、ＣＣＤ２２で読み取られた画像データは、所定の処理が施された後、コントローラ部５に転送される。
【００１７】
（原稿給送ユニットの構成）
原稿給送ユニット１０は、リーダ部２の所定の読み取り位置まで原稿を搬送するものである。図３は原稿給送ユニット１０の内部構造を示す図である。原稿給送ユニット１０は、その上方に原稿が載置される原稿トレイ１５４を有し、その下方に駆動ローラ５３６およびターンローラ５３７に巻回された幅広ベルト１５７を有する。
【００１８】
原稿トレイ１５４に載置された原稿Ｐは、順次最上紙から分離され、リーダ部２の読取位置であるプラテンガラス（プラテン）１５上に搬送される。図４は原稿給送ユニット１０の先端部の構造を示す図である。搬送パスには、フラッパ５２２が設けられ、原稿の搬送方向を切り換える。幅広ベルト１５７は、プラテン１５に当接しており、原稿トレイ１５４から搬送されたシート原稿Ｐをプラテン１５の所定位置に載置したり、プラテン１５に載置されたシート原稿Ｐを排紙トレイ５１０に搬出する。尚、原稿は上から順に１ページ（２ページ）、３ページ（４ページ）、…の順番で原稿トレイ１５４に載置される。
【００１９】
（原稿トレイ１５４の構成）
原稿トレイ１５４はシート状の原稿を積載するものであり、原稿トレイ１５４には、一対の幅方向規制板（規制ガイド）５２９が原稿Ｐの幅方向にスライド自在に配置されている。この幅方向規制板５２９は、原稿トレイ１５４に載置される原稿Ｐの幅方向を規制し、原稿Ｐの給送時の安定性を確保する。図５は原稿給送ユニット１０における原稿トレイの搬送方向下流側の構造を示す図である。原稿トレイ１５４の搬送方向下流側端部には、ストッパ５２１が回動自在に設けられており、原稿トレイ１５４にセットされたシート原稿Ｐは、突出したストッパ５２１により規制され、下流に進出できない。
【００２０】
（原稿トレイ１５４のセンサ）
ストッパ５２１の上流部近傍には、シート原稿束Ｐがセットされたことを検出する透過型の光センサからなる原稿セット検知センサ５４０（５４０ａ、５４０ｂ）が設けられている（図３参照）。また、原稿トレイ１５４の中程には、セットされた原稿がハーフサイズ原稿であるか否かを判定するための原稿後端検知センサ５４１が設けられている。この原稿後端検知センサ５４１は、反射型の光センサからなり、ストッパ５２１から２２５ｍｍの距離に配置されており、長手原稿（ラージサイズシート）がセットされた場合、オンになる。原稿セット検知センサ５４０と原稿後端検知センサ５４１の中間には、反射型の光センサからなる最終原稿検知センサ５４３が設けられており、搬送中の原稿が最終原稿であるか否かを判定する。また、原稿トレイ１５４の下部には、幅方向規制板５２９の位置を検出することにより、原稿トレイ１５４にセットされた原稿束Ｐの幅（左右）方向の長さを検知する紙幅検知センサ５４４が設けられている。
【００２１】
ここで、原稿トレイ１５４にＡ３サイズの原稿が積載された場合を想定する。原稿後端センサ５４１がＯＮとなるので、ラージサイズ原稿と判断される。その後、第２の給紙ローラ１５９を通過した後、給紙センサ５３５を通過した時間を計測し、送り方向の長さを算出する。この第２の給紙ローラ１５９は紙種類によってはすべり等を発生するので、送り方向の長さは、マージンを設けて判定される。幅方向の長さは、幅方向規制板５２９の位置を検出することによって得られる。原稿サイズＡ３（２９７ｍｍ  ｘ  ４２０ｍｍ）が原稿トレイ１５４に積載されると、幅方向２９７ｍｍ、送り方向４２０ｍｍの長さから、Ａ３サイズであると判断される。
【００２２】
原稿給送ユニット１０が原稿流し読み機能を有する場合、原稿用紙は原稿流し読み位置１５ａ（図２参照）を一定の速度で通過する。この場合、光学ユニット１７は原稿流し読み位置１５ａに移動し、等速で搬送される原稿をランプ１６によって照射し、ＣＣＤ２２によって随時読み取ることで画像データを生成し、コントローラ部５に転送される。
【００２３】
（片面原稿搬送モード）
図６および図７は片面原稿搬送モード時の原稿の流れを示す図である。原稿搬送モードが片面原稿搬送モードである場合、パス切替ソレノイド６１７はオフに制御されるので、搬送パスは原稿給送路側になっており、先行原稿Ｐ１はプラテン１５上に進入していく。先行原稿Ｐ１がプラテン１５に進入する前、幅広ベルト１５７の搬送速度は、第２給送ローラ１５９の速度と一致するように制御される。先行原稿Ｐ１の後端が給紙ローラ１５５のニップ点を通過すると、給送ローラ１５５は再び降下し、後続原稿Ｐ２の給紙動作に備える。さらに、先行原稿Ｐ１の後端が第１給紙ローラ１５５のニップ点を抜けると、分離クラッチ５１６がオンし、給紙ローラ１５５による後続原稿Ｐ２の給紙を開始する（図６（Ａ）参照）。
【００２４】
先行原稿Ｐ１の後端が第２給送ローラ１５９のニップを抜けると、第２搬送ローラ１５９を停止させる。後続原稿Ｐ２は給紙ローラ１５５による給紙開始後に急加速され、第２搬送ローラ１５９が停止するとき、給紙センサ５３５（図４参照）に到着するように制御される。後続原稿Ｐ２によって給紙センサ５３５がオンすると、先行原稿Ｐ１の場合と同様に斜行取りのための制御が行われる。
【００２５】
先行原稿Ｐ１はプラテン１５上の搬送パスに入っており、幅広ベルト１５７によって単独搬送され、その後端が給紙センサ５３５を抜けてから所定距離進んだところで、先行原稿Ｐ１は一旦停止する（図６（Ｂ）参照）。このとき、原稿Ｐ１の先端と第２の画像読み取り位置Ｒ２の間は距離Ｌ５になるように制御される。また、原稿Ｐ１の後端と第２の給送ローラ１５９のニップ点との間の距離Ｌ８は、Ｌ８＝Ｌ２−Ｌ５で表される。ここで、搬送原稿サイズＬ２は、読み取り位置Ｒ２から第２給送ローラまでの距離で表される距離であるので、距離Ｌ８は常にプラスになるように設定されている。つまり、原稿Ｐ１の後端が第２給送ローラのニップを過ぎている。
【００２６】
原稿給送ユニット１０では、先行原稿Ｐ１を一旦停止させると同時に、複写機（画像形成装置）本体に対して搬送完了信号を出力し、搬送開始信号が入力されるのを待つ。複写機本体からの搬送開始信号を受信し、かつ後続原稿Ｐ２の斜行取り制御が完了すると、幅広ベルト１５７を起動し、先行原稿Ｐ１を画像形成速度で搬送する。また、先行原稿Ｐ１の後端と後続原稿Ｐ２の先端の距離、つまり紙間距離が所定距離になると、第２給送ローラ１５９を起動し、先行原稿Ｐ１と同様に後続原稿Ｐ２を画像形成速度で搬送する。幅広ベルト１５７と第２給送ローラ１５９の搬送速度が一致したところで、紙間距離がＬ６となるように、第２給送ローラ１５９の起動と加速が制御される。先行原稿Ｐ１が読み取り位置Ｒ２に達すると、原稿給送ユニット１０は画先到達信号を出力する。複写機本体はこれを受けて、先行原稿Ｐ１の画像読み取りを開始する。
【００２７】
図６（Ｃ）には、原稿Ｐ１の画像読み取り終了後の状態が示されている。原稿Ｐ１は、読み取りが終了してから所定距離（Ｌ９）搬送された後、停止している。このとき、後続原稿Ｐ２は、読み取り位置Ｒ２から距離Ｌ５の位置に停止している。さらに後続原稿Ｐ３は、第２給送ローラ１５９で斜行取りのためのループを維持しながら待機している。この状態で、複写機本体１から搬送開始信号が入力されると、原稿Ｐ２の画像形成が行われる。
【００２８】
図７（Ｄ）には、原稿Ｐ２の画像読み取り中、搬送パス内の原稿位置が示されている。原稿Ｐ１は幅広ベルト１５７、手差しレジストローラ５１１および排紙ローラ５１２によって搬送される。このとき、幅広ベルト１５７と手差しレジストローラ５１１の搬送速度は等しくなるように制御される。また、排紙ローラ５１２の搬送速度はこれらの速度と等しいかあるいは若干早めに制御される。図７（Ｅ）には、後続原稿Ｐ２の読み取りが終了したときの状態が示されている。読み取り終了後、幅広ベルト１５７は停止するので、後続原稿Ｐ２、Ｐ３はプラテン１５上に停止している。先行原稿Ｐ１の後端は既に手差しレジストローラ５１１のニップを抜けているので、排紙ローラ５１２により単独搬送されて排紙トレイ５１０に排出される。
【００２９】
（両面原稿搬送モード）
図８、図９および図１０は両面原稿搬送時の原稿の流れを示す図である。ここで、第２給送ローラ１５９と幅広ベルト１５７の搬送速度は、特別な場合を除き、等速となるように制御される。原稿搬送モードが両面原稿搬送モードの場合、最初、反転給紙フラッパ５２２および反転フラッパ５２３は図４の実線位置にあり、原稿Ｐ１は反転給送路ｂ、ｃ、ｄの側に導かれる（図８（Ａ）参照）。そして、原稿Ｐ１の後端が一方向フラッパ５２４を通過すると、ローラ５１７、５１８を逆転させて原稿Ｐ１を逆方向に搬送する。給排フラッパ５２５は図４の実線の位置にあるので、逆転して搬送された原稿Ｐ１は、プラテン１５上の搬送路に導かれる（図８（Ｂ）参照）。
【００３０】
反転センサ５５０によって原稿の搬送方向の後端を検知した時点から、さらに原稿を所定距離搬送したところで、幅広ベルト１５７は停止する。その結果、固定読みモード時の読み取り位置Ｒ１に原稿Ｐ１は載置される（図９（Ｃ）参照）。この状態で、複写機本体のスキャナユニット１１によって第２面目の読み取り走査が行われる。原稿Ｐ１の載置完了と前後してパス切替ソレノイド６１７がオフになる。これにより、反転給紙フラッパ５２２および給排フラッパ５２５は揺動して図４の鎖線の位置となる。複写機本体１のスキャナユニット１１によって原稿Ｐ１の第２面の読み取り走査が完了すると、幅広ベルト１５７は逆転して原稿Ｐ１を原稿給排路ｅに搬送する。このとき、幅広ベルト１５７の逆転と同時に、反転フラッパ５２３は揺動して図４の鎖線の位置に移動しているので、原稿Ｐ１は原稿反転路ｆに導かれる（図９（Ｄ）参照）。
【００３１】
反転センサ５５０で原稿先端を検出した時点から原稿を所定距離搬送したところで、幅広ベルト１５７の回転が一旦停止した後、逆転から正転に変わる。反転してきた原稿Ｐ１の先端がプラテン１５上の搬送路ｇにさしかかる時、第２給送ローラ１５９と幅広ベルト１５７の搬送速度が一致するように制御される。先行原稿Ｐ１の後端が第２給送ローラ１５９のニップ点を通過すると、第２給送ローラ１５９を停止し、後続原稿Ｐ２の到着を待つ。先行原稿Ｐ１は幅広ベルト１５７によって単独搬送されるが、給紙センサ５３５によって原稿の後端が検知された時点から所定距離だけ原稿が搬送されたところで、幅広ベルト１５７は停止する。その結果、原稿Ｐ１は、固定読みモード時の読み取り位置Ｒ１に載置されることになる。
【００３２】
この状態でスキャナユニット１１により第１面の読み取り走査が行われる。また、給紙センサ５３５による先行原稿Ｐ１の後端検知と前後して、後続原稿Ｐ２の分離動作が開始され、第２給送ローラ１５９によって周知の斜行取りが行われる。複写機本体１のスキャナユニット１１による原稿Ｐ１の第１面の走査中に、後続原稿Ｐ２の反転動作が完了する。反転後の後続原稿Ｐ２は、その先端近傍が第１反転ローラ５１７にニップされた状態で待機している（図１０（Ｅ）参照）。この後、先行原稿Ｐ１の排紙および後続原稿Ｐ２の読み取りが行われる（図１０（Ｆ）参照）。
【００３３】
（プリンタ部６の動作）
プリント部６では、コントローラ部５から出力された画像データに対応するレーザ光が、レーザドライバにより駆動されるレーザ発光部２４から発光されると、このレーザ光はマーキングユニット１３の感光ドラム２５にレーザ光に応じた静電潜像を形成する。静電潜像の部分には、現像器２６により現像剤が付着する。
【００３４】
一方、レーザ光の照射開始と同期したタイミングで、給紙ユニット１２（給紙カセット１２ａ，１２ｂ）から記録用紙が給紙され、転写部２７に搬送されると、感光ドラム２５に付着している現像剤を記録用紙に転写する。現像された画像が転写された記録用紙は、定着部２８に搬送されると、定着部２８における加熱・加圧処理により記録紙に画像が定着する。
【００３５】
画像を記録用紙の片面に記録する場合、定着部２８を通過した記録用紙が排出ローラ２９によってそのまま排紙ユニット１４に排出され、排紙ユニット１４は排出された記録用紙を束ねて仕分けを行ったり、仕分けされた記録用紙のステイプル処理を行う。また、画像を記録用紙の両面に記録する場合、排出ローラ２９まで記録用紙を搬送した後、この排出ローラ２９の回転方向を逆転させ、フラッパ３０によって再給紙搬送路３１へと導く。この再給紙搬送路３１に導かれた記録用紙は、同様に転写部２７に搬送される。
【００３６】
（コントローラ部５の構成）
コントローラ部５は、単一の電子部品で構成され、リーダ部２で読み取られた画像データをコードに変換し、ＬＡＮ４００を介して第１のホストコンピュータ３および第２のホストコンピュータ４に送信するスキャナ機能、第１、第２のホストコンピュータ３、４からＬＡＮ４００を介して受信したコードデータを画像データに変換し、プリンタ部６に出力するプリンタ機能、その他の機能を有する。
【００３７】
図１１はコントローラ部５の詳細な構成を示すブロック図である。メインコントローラ３２は、ＣＰＵ３３、バスコントローラ３４、および各種コントローラ回路を含む機能ブロックを内蔵する。また、メインコントローラ３２には、ＲＯＭＩ／Ｆ３５を介してＲＯＭ３６が接続され、ＤＲＡＭＩ／Ｆ３７を介してＤＲＡＭ３８が接続され、コーデックＩ／Ｆ３９を介してコーデック４０が接続され、さらに、ネットワークＩ／Ｆ４１を介してネットワークコントローラ４２が接続されている。
【００３８】
ＲＯＭ３６には、メインコントローラ３２内のＣＰＵ３３によって実行される各種制御プログラムや演算データが格納されている。ＤＲＡＭ３８は、ＣＰＵ３３が各種制御プログラムを実行する際の作業領域や、画像データを蓄積するための領域として使用される。コーデック４０は、ＤＲＡＭ３８に蓄積されたラスターイメージデータをＭＨ／ＭＲ／ＭＭＲ／ＪＢＩＧなどの周知の圧縮方式で圧縮し、また圧縮されたデータをラスタイメージに伸長する。また、コーデック４０にはＳＲＡＭ４３が接続されており、このＳＲＡＭ４３はコーデック４０の一時的な作業領域として使用される。ネットワークコントローラ４２は、コネクタ４４を介して接続されるＬＡＮ４００との間で所定の制御動作を行う。
【００３９】
また、メインコントローラ３２は、スキャナバス４５を介してスキャナＩ／Ｆ４６に接続され、プリンタバス４７を介してプリンタＩ／Ｆ４８に接続され、さらにＰＣＩバス等の汎用高速バス４９を介して拡張コネクタ５０および入出力制御部（Ｉ／Ｏ制御部）５１に接続されている。拡張コネクタ５０には拡張ボードが接続される。一方、Ｉ／Ｏ制御部５１は、リーダ部２やプリンタ部６との間で制御コマンドを送受信するための調歩同期式のシリアル通信コントローラ５２を２チャンネル装備している。シリアル通信コントローラ５２は、Ｉ／Ｏバス５３を介してスキャナＩ／Ｆ４６およびプリンタＩ／Ｆ４８に接続されている。
【００４０】
スキャナＩ／Ｆ４８は、第１の調歩同期シリアルＩ／Ｆ５４および第１のビデオＩ／Ｆ５５を介してスキャナコネクタ５６に接続されている。このスキャナコネクタ５６はリーダ部２のスキャナユニット１１に接続されている。スキャナＩ／Ｆ４６は、スキャナ部１１から受信した画像データに対し、所望の２値化処理を行ったり、主走査方向および／または副走査方向の変倍処理を行う他、スキャナユニット１１から送られてきたビデオ信号に基づいて制御信号を生成し、スキャナバス４５を介してメインコントローラ３２に転送する。
【００４１】
プリンタＩ／Ｆ４８は、第２の調歩同期シリアルＩ／Ｆ５７および第２のビデオＩ／Ｆ５８を介してプリンタコネクタ５９に接続されている。このプリンタコネクタ５９は、プリンタ部６のマーキングユニット１３に接続されている。そして、プリンタＩ／Ｆ４８は、メインコントローラ３２から出力された画像データにスムージング処理を施し、画像データをマーキングユニット１３に出力し、さらにマーキングユニット１３から送られたビデオ信号に基づいて、生成された制御信号をプリンタバス４７に出力する。
【００４２】
ＣＰＵ３３は、ＲＯＭ３６からＲＯＭＩ／Ｆ３５を介して読み込まれた制御プログラムを実行し、例えば、第１および第２のホストコンピュータ３、４から受信したＰＤＬ（ページ記述言語）データを解釈し、ラスタイメージデータに展開処理を行う。バスコントローラ３４は、スキャナＩ／Ｆ４６、プリンタＩ／Ｆ４８、その他拡張コネクタ５０等に接続された外部機器から入出力されるデータ転送を制御するものであり、バス競合時のアービトレーション（調停）やＤＭＡデータ転送の制御を行う。例えば、ＤＲＡＭ３８およびコーデック４０間のデータ転送、スキャナユニット１１からＤＲＡＭ３８へのデータ転送、ＤＲＡＭ３８からマーキングユニット１３へのデータ転送等は、バスコントローラ３４によって制御され、ＤＭＡ転送される。
【００４３】
Ｉ／Ｏ制御部５１は、ＬＣＤコントローラ６０およびキー入力Ｉ／Ｆ６１を介してパネルＩ／Ｆ６２に接続されている。さらに、パネルＩ／Ｆ６２は操作部７に接続されている。また、Ｉ／Ｏ制御部５１には、不揮発性メモリとしてのＥＥＰＲＯＭ６６が接続され、Ｅ−ＩＤＥコネクタ６３を介してＣＤ−ＲＯＭドライブ８が接続され、リアルタイムクロックモジュール６４が接続されている。リアルタイムクロックモジュール６４は、機器内で管理する日付および時刻を更新／保存する。尚、リアルタイムクロックモジュール６４にはバックアップ用電池６５が接続されており、このバックアップ用電池６５により、リアルタイムクロックモジュール６４はバックアップされている。
【００４４】
（メインコントローラ３２の構成）
図１２はメインコントローラ３２の内部構成を詳細に示すブロック図である。バスコントローラ３４は、４×４の６４ビットクロスバススイッチで構成され、６４ビットのプロセッサバス（Ｐバス）６７を介してＣＰＵ３３に接続され、またメモリ専用のローカルバス（Ｍバス）６８を介してキャッシュメモリ６９ａを備えたメモリコントローラ６９に接続されている。尚、メモリコントローラ６９は、ＲＯＭ３６やＤＲＡＭ３８などのメモリ群に接続され、これらのメモリ群の動作を制御する。
【００４５】
また、バスコントローラ３４は、グラフィックスバス（Ｇバス）７０を介してＧバスアービタ７１およびスキャナ・プリンタコントローラ７２と接続され、入出力バス（Ｂバス）７３を介してＢバスアービタ７４、Ｇバスアービタ７１、インタラプトコントローラ７５および各種機能ブロックと接続されている。各種機能ブロックとして、電力管理ユニット７６、ＵＡＲＴなどのシリアルＩ／Ｆコントローラ７７、ＵＳＢ（Ｕｎｉｖｅｒｓａｌ  Ｓｅｒｉａｌ  Ｂｕｓ）コントローラ７８、ＩＥＥＥ１２８４等のパラレルＩ／Ｆコントローラ７９、ＬＡＮコントローラ８０、汎用入出力コントローラ８１、Ｂバス７３と外部バスであるＰＣＩバスとの間でＩ／Ｆ動作を司るＰＣＩバスＩ／Ｆ８２およびスキャナ・プリンタコントローラ７２が設けられている。
【００４６】
Ｂバスアービタ７４は、Ｂバス７３を協調・制御するアービトレーションであり、Ｂバス７３のバス使用要求を受け付け、調停の後、使用許可を選択された１つのマスタに与えることにより、同時に２つ以上のマスタがバスアクセスを行うのを禁止している。尚、アービトレーション方式は３段階の優先権を有し、それぞれの優先権に複数のマスタが割り当てられる。
【００４７】
インタラプトコントローラ７５は、上記各機能ブロックおよびコントローラ部５の外部からインタラプトを集積し、ＣＰＵ３３がサポートするコントローラ群７２、７７〜８２およびノンマスカブルインタラプト（ＮＭＩ）に再配分する。
【００４８】
電力管理ユニット７６は、各機能ブロック毎に電力を管理し、さらに１チップで構成されている電子部品としてのコントローラ部５の消費電力量の監視を行う。すなわち、コントローラ部５は、ＣＰＵ３３を内蔵された大規模なＡＳＩＣ（特定用途向けＩＣ）で構成されている。このため、全ての機能ブロックが同時に動作すると、大量の熱が発生し、コントローラ部９自体が破壊されてしまうおそれがある。そこで、このような事態を防止するために、各機能ブロック毎に消費電力を管理する。各機能ブロックの消費電力量は、パワーマネージメントレベルとして電力管理ユニット７６に集積される。そして、電力管理ユニット７６は、各機能ブロックの消費電力量を合計し、この消費電力量が限界消費電力を超えないように、各機能ブロックの消費電力量を一括して監視する。
【００４９】
Ｇバスアービタ７１は、中央アービトレーション方式によりＧバス７０を協調・制御しており、各バスマスタに対して専用の要求信号および許可信号を有する。尚、バスマスタへの優先権の付与方式として、全てのバスマスタを同じ優先権として、公平にバス権を付与する公平アービトレーションモード、およびいずれか１つのバスマスタに対して優先的にバスを使用させる優先アービトレーションモードのいずれかを指定することができる。
【００５０】
（アンテナアレイ部）
図１３は原稿給送ユニット１０の外観を示す斜視図である。原稿給送ユニット１０の原稿トレイ１５４には、原稿束ＰにＲＦＩＤ３１０が付けられているか否かを調べるためのアンテナアレイ部６２０、６２１、６２２が設けられている。本実施形態では、ＲＦＩＤとしてＩＣチップが使用されている。尚、アンテナアレイ部６２１、６２２もアンテナアレイ部６２０と同様の構成を有する。
【００５１】
また、エリア６２０ａは、アンテナアレイ部６２０で検知可能なＲＦＩＤの範囲である。同様に、エリア６２１ａはアンテナアレイ部６２１で検知可能な範囲である。エリア６２２ａはアンテナアレイ部６２２で検知可能な範囲である。つまり、アンテナアレイ部６２０、６２１、６２２を用いることで、原稿トレイ１５４上の全領域に亘ってＲＦＩＤを検知することが可能である。さらに、原稿給送ユニット１０の先端側内部には、原稿が分離された後、原稿１枚毎のＲＦＩＤ３１０を検知するアンテナアレイ部６２３が設けられている。このアンテナアレイ部６２３の構成もアンテナアレイ部６２０と同様である。
【００５２】
図１４はアンテナアレイ部６２０の構成を示す図である。アンテナアレイ部６２０は、Ｎ個のダイポールアンテナ２００、２０１から構成される。各ダイポールアンテナへの電圧供給線は、アンテナセレクタ２６０を介してＡ／Ｄエンコーダ２６５、Ａ／Ｄデコーダ２６６に接続されている。アンテナセレクタ２６０は、Ａ／Ｄエンコーダ２６５およびＡ／Ｄデコーダ２６６に接続されるダイポールアンテナを選択する。したがって、アンテナセレクタ２６０を制御することにより、任意のダイポールアンテナをＡ／Ｄデコーダ２６６およびＡ／Ｄエンコーダ２６５に接続することが可能となる。
【００５３】
Ａ／Ｄエンコーダ２６５は、原稿給送ユニット１０からのデジタル信号であるＲＦリーダ発信信号をアンテナ用アナログ信号として変換する。一方、Ａ／Ｄデコーダ２６６は、アンテナから読み取ったアナログ状態のＩＣチップからの応答をデジタル信号であるＩＣチップ読取信号として、原稿給送ユニット１０からスキャナユニット１１を経由し、さらにスキャナＩ／Ｆ４６およびスキャナバス４５を経由してコントローラ部５内のメインコントローラ３２に通知する。そして、メインコントローラ３２内のＣＰＵ３３によって、ＩＣチップ読取信号は処理される。
【００５４】
（操作部７）
操作部７は、リーダ部２における画像編集内容、コピー枚数等の画像動作を指示する各種キー群、操作内容等を表示する表示部を有する。図１５は操作部７の構成を示す正面図である。操作部７には、各種キー群、およびドットマトリックスで構成される液晶表示部２３８が配置されている。液晶表示部２３８は、装置の状態、コピー枚数、倍率、選択用紙および各種操作画面を表示し、コントロールキー等により操作される。
【００５５】
スタートキー２０３は、コピーをスタートさせるキーである。復帰キー２０２は、設定モードを標準状態に復帰させるキーである。キー群２０５には、コピー枚数、ズーム倍率等として０〜９までの数値を入力するテンキー、およびその入力をクリアするクリアキーが含まれている。濃度キー２０７は、濃度をアップダウンさせるキーである。この濃度キー２０７によって調整される濃度は、表示部２４１に表示される。キー２３７は、自動濃度調整機能をＯＮ／ＯＦＦするキーおよびその表示部である。キー２０６は、給紙段およびオート用紙選択を選択するキーである。用紙の選択状態は、液晶表示部２３８に表示される。キー２０８、キー２１０はそれぞれ等倍、定形縮小／拡大を設定するキーである。キー２１８はオート変倍モードを設定するキーである。この選択状態は、液晶表示部２３８に表示される。
【００５６】
（ＲＦＩＤ読取処理）
上記構成を有する画像形成装置の動作を示す。図１６は原稿がセットされた際のＲＦＩＤ読取処理手順を示すフローチャートである。この処理プログラムは、コントローラ部５内のＲＯＭ３６に格納されており、メインコントローラ３２内のＣＰＵ３３によって実行される。
【００５７】
原稿セット検知センサ５４０によって原稿が検知されたか否かを判別する（ステップＳ１）。原稿が検知されると、アンテナアレイ部６２０によりＲＦＩＤ３１０が原稿束Ｐに存在するか否かをサーチする（ステップＳ２）。サーチの結果、アンテナアレイ部６２０により得られたデータから原稿束の中にＲＦＩＤが存在するか否かを判別する（ステップＳ３）。ＲＦＩＤが存在する場合、ＲＦＩＤのデータを解析する（ステップＳ４）。そして、スタート動作を受ける状態に移行する（ステップＳ５）。このスタート動作を受ける状態への移行、つまり原稿搬送制御等の具体的な設定例については、後述する。そして、原稿が分離されると、アンテナアレイ部６２３を動作させ、原稿１枚毎のＲＦＩＤを読み取る状態に移行する、つまりアンテナアレイ部６２３からＲＦＩＤデータを読み取り、原稿１枚の搬送制御、読取制御などを決定する（ステップＳ６）。この後、本処理を終了する。
【００５８】
一方、ステップＳ３において、ＲＦＩＤが存在しない場合、アンテナアレイ部６２１により原稿束にＲＦＩＤが存在するか否かをサーチする（ステップＳ７）。サーチの結果、アンテナアレイ部６２１により得られたデータから原稿束の中にＲＦＩＤが存在するか否かを判別する（ステップＳ８）。ＲＦＩＤが存在する場合、前述したステップＳ４に進み、同様の処理を行う。すなわち、ステップＳ４でＲＦＩＤデータを解析した後、ステップＳ５でスタート動作を受ける状態に移行し、ステップＳ６でアンテナアレイ部６２３を動作させ、原稿１枚毎のＲＦＩＤを読み取る状態に移行する。
【００５９】
また一方、ステップＳ８において、ＲＦＩＤが存在しない場合、アンテナアレイ部６２２によりＲＦＩＤが原稿束に存在するか否かをサーチする（ステップＳ９）。サーチの結果、アンテナアレイ部６２２により得られたデータから原稿束の中にＲＦＩＤが存在するか否かを判別する（ステップＳ１０）。ＲＦＩＤが存在する場合、同様に前述したステップＳ４に進み、同様の処理を行う。すなわち、ステップＳ４でＲＦＩＤデータを解析した後、ステップＳ５でスタート動作を受ける状態に移行し、ステップＳ６でアンテナアレイ部６２３を動作させ、原稿１枚毎のＲＦＩＤを読み取る状態に移行する。一方、ステップＳ１０でＲＦＩＤが存在しない場合、ＲＦＩＤが存在しない動作状態に移行する（ステップＳ１１）。この後、本処理を終了する。
【００６０】
ここで、例えば、ステップＳ２〜Ｓ１０では、アンテナアレイ部６２０〜６２２によって原稿束にＲＦＩＤが付けられているか否かだけを読み取り、スタートキーが押されて原稿トレイから１枚の原稿を分離した後、アンテナアレイ部６２３で読み取ったＲＦＩＤデータを基に、原稿搬送、画像読取、画面表示などの制御を行うようにしてもよい。また、アンテナアレイ部６２０〜６２２によって原稿束から読み取られるＲＦＩＤデータが完全には統一されていない場合（例えば、原稿サイズは同じであるが、先頭頁と最終頁は厚紙、その他は薄紙である場合など）、統一されている設定内容については、アンテナアレイ部６２０〜６２２によって読み取られたＲＦＩＤデータを基に制御を行い、一方、異なる設定内容については、アンテナアレイ部６２３によって原稿１枚毎に読み取られるＲＦＩＤデータを基に制御を行うようにしてもよい。
【００６１】
（ステップＳ５においてスタート動作を受ける状態に移行する際の具体的な制御内容）
例えば、ＲＦＩＤ付きの原稿が原稿給送ユニット１０に１枚積載され、ＲＦＩＤの情報として、原稿の紙種厚紙、原稿の坪量２３０ｇ／m2  原稿サイズコードＡ３、原稿の幅長２９７ｍｍ、原稿の送り長４２０ｍｍのデータを読み取ることができた場合を想定する。そして、操作部７の両面キー２５０が押下されると、両面設定画面を表示する。図１７は両面設定画面を示す図である。キー９０１は片面原稿を両面印刷する片両キーである。キー９０２は両面原稿を両面印刷する両両キーである。キー９０３は、両面原稿を片面印刷する両片キーである。両両キー９０２もしくは両片キー９０３をＯＮにすると、両面原稿読取モードが設定される。ここで、ＲＦＩＤデータから原稿は厚紙であり、その坪量は２３０ｇ／m2であるので、この原稿の両面読取を行おうとすると、紙詰まりが発生することが予め定められている。図１８は操作部７における両面読取できない旨を通知する両面設定画面を示す図である。ここで、ＯＫキー９１０を押下すると、操作部７における両面読取を解除する。また、図１８の表示状態でスタートキー２０３を押下すると、原稿給送ユニット１０は両面読取を解除し、片面読取で読込を開始する。
【００６２】
また、ＲＦＩＤ付きの原稿が原稿給送ユニット１０に１枚積載され、ＲＦＩＤの情報として、原稿の紙種薄紙、原稿の坪量５０ｇ／m2  原稿サイズコードＡ３、原稿の幅長２９７ｍｍ、原稿の送り長４２０ｍｍのデータを読み取ることができた場合を想定する。この薄紙を普通紙と同じスピードで搬送すると、湿度条件等により原稿に”しわ”を与えてしまう可能性がある。図１９は操作部７において読取速度を落とす旨を通知する画面を示す図である。この表示状態でＯＫキー９１１を押すと、搬送速度を落として読取動作が行われる。
【００６３】
また、ＲＦＩＤ付きの原稿が原稿給送ユニット１０に１枚積載され、ＲＦＩＤの情報として、原稿の紙種光沢紙、原稿の坪量２５０ｇ／m2  原稿サイズコードＡ３、原稿の幅長２９７ｍｍ、原稿の送り４２０ｍｍのデータを読み取ることができた場合を想定する。光沢紙は紙の表面が滑る材質であるので、原稿給送ユニット１０で搬送すると、ローラにすべりが発生して必ずジャム（Ｊａｍ）が発生する。図２０は操作部７において光沢紙で読取できない旨を通知する画面を示す図である。この表示状態では、スタートキー２０３を押しても、コピー動作はスタートしない。
【００６４】
（画像読取サイズ設定処理）
図２１は画像読取サイズ設定処理手順を示すフローチャートである。この処理プログラムは、コントローラ部５内のＲＯＭ３６に格納されており、メインコントローラ３２内のＣＰＵ３３によって実行される。ここでは、ＲＦＩＤ付きの原稿が原稿給送ユニット１０に１枚積載され、ＲＦＩＤの情報として原稿の紙種普通紙、原稿の坪量８０ｇ／m2  原稿サイズコードＡ３、原稿の幅長２８０ｍｍ、原稿の送り４１０ｍｍのデータを読み取ることができた場合を想定する。
【００６５】
まず、原稿にＲＦＩＤが付いているか否かを判別する（ステップＳ２１）。ＲＦＩＤが付いている場合、ＲＦＩＤの情報を取得する（ステップＳ２２）。ここでは、原稿の紙種が普通紙であり、原稿の坪量８０ｇ／m2であるので、原稿給送ユニット１０は通常動作可能である。そして、ＲＦＩＤのサイズコードと幅長／送り長の関係が同じであるか否かを判別する（ステップＳ２３）。前述したように、ここでは、原稿サイズコードとしてＡ３が指定されているので、原稿サイズコードに応じた原稿の幅長は２９７ｍｍ  送り長は４２０ｍｍである。これらの値と、ＲＦＩＤから取得した値とを比べると一致しない。
【００６６】
ステップＳ２３で同じでないと判別された場合、紙幅検知センサ５４４の値を参照する（ステップＳ２４）。紙幅検知センサ５４４の値とＲＦＩＤの幅長が同じであるか否かを判別する（ステップＳ２５）。同じである場合、つまり紙幅検知センサ５４４によって２８０ｍｍの値が示されている場合、幅長２８０ｍｍ、送り長４１０ｍｍで読み取るように画像を形成する（ステップＳ２６）。この後、本処理を終了する。
【００６７】
一方、紙幅検知センサ５４４の値が２９７ｍｍの値を示していた場合、原稿サイズコードに従った幅長２９７ｍｍ、送り長４２０ｍｍで読み取るように画像を形成する（ステップＳ２８）。また、ステップＳ２３でＲＦＩＤのサイズコードと幅長／送り長の関係が同じである場合もステップＳ２８の処理を行う。この後、本処理を終了する。また一方、ステップＳ２１でＲＦＩＤが付いていない場合、原稿給送ユニット（ＡＤＦ）１０で検知されたサイズコードＡ３に従って読み取り、画像を形成する（ステップＳ２７）。この後、本処理を終了する。
【００６８】
このように、本実施形態の画像形成装置によれば、紙種によらず、紙詰まりや紙しわを発生させることなく、原稿搬送を行うことができる。したがって、両面原稿の紙詰まりを抑制することができる。また、原稿にしわをつけることもなくなる。さらに、ＲＦＩＤ情報として、例えばステイプル済みなどの情報を得ることにより、搬送を中止し、紙詰まりの発生を解消できる。また、原稿サイズによらず、正確に画像を読み取ることができ、原稿サイズ検知センサが誤検知してしまうような特殊紙サイズであっても、正しい読み取り動作を行うことができる。さらに、画面に表示することで、オペレータに通知したり、オペレータの確認を得ることができる。
【００６９】
尚、上記実施形態では、ＲＦＩＤに記録された原稿サイズ、紙種に応じた原稿給送ユニットの制御を示したが、本発明は、上記実施形態の構成に限られるものではなく、特許請求の範囲で示した機能、または本実施形態の構成が持つ機能が達成できる構成であればどのようなものであっても適用可能である。
【００７０】
例えば、複数枚の原稿が存在し、複数のＲＦＩＤを検知した場合、まず紙種を参照するようにしてもよい。そして、薄紙（５０ｇ／m2）である紙種が存在しないか否かを判断する。薄紙の紙種がある場合、搬送速度を半分に落とすようにする。また、両面モードが設定されている場合、両面モードができない紙種が存在しないか否かを判断する。両面モードができない紙種が存在する場合、前述した図１８の表示を行うようにする。
【００７１】
また、ＲＦＩＤに、パンチ穴があいている等の情報を付加してもよく、パンチ穴があいている情報に応じて搬送速度を変更してもよい。また、上記実施形態では、アンテナアレイ部が複数配置されている場合を示したが、１つでも可能である。さらには、アンテナアレイ部６２３だけの構成でもよく、この場合、原稿の給送が始まってからアンテナアレイ部６２３でＲＦＩＤを検知するようにする。また、アンテナとしては、ダイポールアンテナでなく、ループアンテナを用いてもよい。
【００７２】
また、本発明は、複数の機器から構成されるシステムに適用しても、１つの機器からなる装置に適用してもよい。また、本発明の目的は、上記実施形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出して実行することによっても達成される。この場合、記憶媒体から読み出されたプログラムコード自体が前述した実施形態の機能を実現することになり、そのプログラムコードを記憶した記憶媒体は本発明を構成することになる。
【００７３】
プログラムコードを供給するための記憶媒体としては、例えば、ＲＯＭ、フロッピー（登録商標）ディスク、ＰＣＭＣＩＡカードやコンパクトフラッシュ（登録商標）等のメモリカード、ハー  ドディスク、マイクロＤＡＴ、光磁気ディスク、ＣＤ−ＲやＣＤ−ＲＷ等の光ディスク、ＤＶＤ等の相変化型光ディスク等で構成されてもよい。また、プログラムコードをネットワークを介してダウンロードしてもよい。
【００７４】
また、コンピュータが読み出したプログラムコードを実行することにより、上記実施形態の機能が実現されるだけでなく、そのプログラムコードの指示に基づき、コンピュータ上で稼動しているＯＳ（オペレーティングシステム）等が実際の処理の一部または全部を行い、その処理によって前述した実施形態の機能が実現される場合も含まれることはいうまでもない。
【００７５】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれる。
【図面の簡単な説明】
【００７６】
【図１】実施の形態における画像形成装置の全体的構成を示す図である。
【図２】画像形成装置１におけるリーダ部２およびプリンタ部６の内部構造を示す図である。
【図３】原稿給送ユニット１０の内部構造を示す図である。
【図４】原稿給送ユニット１０の先端部の構造を示す図である。
【図５】原稿給送ユニット１０における原稿トレイの搬送方向下流側の構造を示す図である。
【図６】片面原稿搬送モード時の原稿の流れを示す図である。
【図７】図６につづく片面原稿搬送モード時の原稿の流れを示す図である。
【図８】両面原稿搬送時の原稿の流れを示す図である。
【図９】図８につづく両面原稿搬送時の原稿の流れを示す図である。
【図１０】図８および図９につづく両面原稿搬送時の原稿の流れを示す図である。
【図１１】コントローラ部５の詳細な構成を示すブロック図である。
【図１２】メインコントローラ３２の内部構成を詳細に示すブロック図である。
【図１３】原稿給送ユニット１０の外観を示す斜視図である。
【図１４】アンテナアレイ部６２０の構成を示す図である。
【図１５】操作部７の構成を示す正面図である。
【図１６】原稿がセットされた際のＲＦＩＤ読取処理手順を示すフローチャートである。
【図１７】両面設定画面を示す図である。
【図１８】操作部７における両面読取できない旨を通知する両面設定画面を示す図である。
【図１９】操作部７において読取速度を落とす旨を通知する画面を示す図である。
【図２０】操作部７において光沢紙で読取できない旨を通知する画面を示す図である。
【図２１】画像読取サイズ設定処理手順を示すフローチャートである。
【符号の説明】
【００７７】
１  画像形成装置
５  コントローラ部
７  操作部
１０  原稿給送ユニット
１１  スキャナユニット
３２  メインコントローラ
３３  ＣＰＵ
３１０  ＲＦＩＤ
６２０、６２１、６２２、６２３  アンテナアレイ部
６２０ａ、６２１ａ、６２２ａ  エリア
【図１】
2006100994.tif 000003
【図２】
2006100994.tif 000004
【図３】
2006100994.tif 000005
【図４】
2006100994.tif 000006
【図５】
2006100994.tif 000007
【図６】
2006100994.tif 000008
【図７】
2006100994.tif 000009
【図８】
2006100994.tif 000010
【図９】
2006100994.tif 000011
【図１０】
2006100994.tif 000012
【図１１】
2006100994.tif 000013
【図１２】
2006100994.tif 000014
【図１３】
2006100994.tif 000015
【図１４】
2006100994.tif 000016
【図１５】
2006100994.tif 000017
【図１６】
2006100994.tif 000018
【図１７】
2006100994.tif 000019
【図１８】
2006100994.tif 000020
【図１９】
2006100994.tif 000021
【図２０】
2006100994.tif 000022
【図２１】
2006100994.tif 000023